(57)【要約】【課題】従来の側面出射ＬＥＤランプより厚さを薄くし薄型化させるのに適しているばかりでなく、ＬＥＤランプを駆動するための電源線の連結を単純化させることのできるＬＥＤランプユニットを提供する。【解決手段】中心部分が内部に陥没した凹部を有し、周縁のフレームが直線面、または凸レンズの形態を有する光学レンズ７０と、この光学レンズ７０の下部に一定の間隔で少なくとも一つ以上配置されているＬＥＤチップ８２と、このＬＥＤチップ８２の下面に配置された下部反射板８３とを含んで構成されることを特徴とする。【選択図】  図８
2005317977.tif 000002
【特許請求の範囲】
【請求項１】
中心部分が内部に陥没した凹部を有し、周縁のフレームが直線面か、又は凸レンズの何れかの形態を有する光学レンズと、
前記光学レンズの下部に一定の間隔で少なくとも一つ以上配置されているＬＥＤチップと、
前記ＬＥＤチップの下部面に配置された下部反射板と、
を含むことを特徴とするＬＥＤランプユニット。
【請求項２】
前記凹部は、‘Ｖ’字形状で形成されることを特徴とする請求項１に記載のＬＥＤランプユニット。
【請求項３】
前記光学レンズの凹部の表面は、平面か、又は曲面の何れかを有するように構成されることを特徴とする請求項１に記載のＬＥＤランプユニット。
【請求項４】
前記光学レンズの上部面に形成された上部反射板をさらに含むことを特徴とする請求項１に記載のＬＥＤランプユニット。
【請求項５】
前記上部反射板は、反射シートの取付け、反射物質のコーティング、及び機能性シートを用いることのうちの何れかによって表面処理がなされていることを特徴とする請求項４に記載のＬＥＤランプユニット。
【請求項６】
前記光学レンズの上部面に、吸収層か、又は散乱層の何れかをさらに含むことを特徴とする請求項１に記載のＬＥＤランプユニット。
【請求項７】
前記吸収層は、ブラックシートで構成されることを特徴とする請求項６に記載のＬＥＤランプユニット。
【請求項８】
前記散乱層は、表面を粗くするか、或いは不規則な粒子物質を表面に塗布して形成されることを特徴とする請求項６に記載のＬＥＤランプユニット。
【請求項９】
前記少なくとも一つ以上のＬＥＤチップは、両端がリード線によってアノード電極端とカソード電極端とにそれぞれ連結されており、前記各アノード電極端と前記各カソード電極端とは、それぞれ分離されていることを特徴とする請求項１に記載のＬＥＤランプユニット。
【請求項１０】
前記少なくとも一つ以上のＬＥＤチップは、両端がリード線によってアノード電極端とカソード電極端とにそれぞれ連結されており、前記各アノード電極端は分離され、個別に各ＬＥＤチップの一端に連結されており、前記各カソード電極端は、第１電極連結ワイヤーを介して互いに共通に連結されていることを特徴とする請求項１に記載のＬＥＤランプユニット。
【請求項１１】
前記少なくとも一つ以上のＬＥＤチップは、両端がリード線によってアノード電極端とカソード電極端とにそれぞれ連結されており、前記各アノード電極端は、第２電極連結ワイヤーを介して互いに共通に連結されており、前記各カソード電極端は分離され、前記ＬＥＤチップの他端に連結されていることを特徴とする請求項１に記載のＬＥＤランプユニット。
【請求項１２】
前記少なくとも一つ以上のＬＥＤチップは、両端がリード線によってアノード電極端とカソード電極端とにそれぞれ連結されており、前記各カソード電極端と前記各アノード電極端は、それぞれ第１電極連結ワイヤーと第２電極連結ワイヤーを介して共通に連結されていることを特徴とする請求項１に記載のＬＥＤランプユニット。
【請求項１３】
前記少なくとも一つ以上のＬＥＤチップは、単色光、Ｒ，Ｇ，Ｂの三色光、及び白色光のうちの何れかを発光させることを特徴とする請求項１に記載のＬＥＤランプユニット。
【請求項１４】
周縁のフレームが直線面または凸レンズ形態を有する光学レンズと、
前記光学レンズの下部に一定の間隔で配置される複数のＬＥＤチップと、
前記光学レンズ及び複数のＬＥＤチップの下部面に配置された下部反射板と、
前記光学レンズの上部面に配置された上部反射板と、
を含むことを特徴とするＬＥＤランプユニット。
【請求項１５】
前記上部反射板が位置する前記光学レンズの上部面は、平面で構成されることを特徴とする請求項１４に記載のＬＥＤランプユニット。
【請求項１６】
前記上部反射板は、反射シートの取付け、反射物質コーティング、及び機能性シートを用いることのうちの何れかによって表面処理がなされていることを特徴とする請求項１４に記載のＬＥＤランプユニット。
【請求項１７】
前記各ＬＥＤチップは、両端がリード線によってアノード電極端とカソード電極端とにそれぞれ連結されており、前記各アノード電極端とカソード電極端とは、それぞれ分離されていることを特徴とする請求項１４に記載のＬＥＤランプユニット。
【請求項１８】
前記各ＬＥＤチップは、両端がリード線によってアノード電極端とカソード電極端とにそれぞれ連結されており、前記各アノード電極端は分離され、個別に各ＬＥＤチップの一端に連結されており、前記各カソード電極端は、第１電極連結ワイヤーを介して互いに共通に連結されていることを特徴とする請求項１４に記載のＬＥＤランプユニット。
【請求項１９】
前記各ＬＥＤチップは、両端がリード線によってアノード電極端とカソード電極端とにそれぞれ連結されており、前記各アノード電極端は、第２電極連結ワイヤーを介して互いに共通に連結されており、前記各カソード電極は分離され、前記各ＬＥＤチップの他端に連結されていることを特徴とする請求項１４に記載のＬＥＤランプユニット。
【請求項２０】
前記各ＬＥＤチップは、両端がリード線によってアノード電極端とカソード電極端とにそれぞれ連結されており、前記各カソード電極端と前記各アノード電極端は、それぞれ第１電極連結ワイヤーと第２電極連結ワイヤーを介して共通に連結されていることを特徴とする請求項１４に記載のＬＥＤランプユニット。
【請求項２１】
前記各ＬＥＤチップは、単色光、Ｒ，Ｇ，Ｂの三色光、及び白色光のうちの何れかを発光させることを特徴とする請求項１４に記載のＬＥＤランプユニット。
【請求項２２】
周縁のフレームが直線面又は凸レンズの形態を有する光学レンズと、
前記光学レンズの下部に一定の間隔で配置される複数のＬＥＤチップと、
前記光学レンズ及び複数のＬＥＤチップの下部面に配置された下部反射板と、
前記光学レンズの上部面に配置された吸収層又は散乱層と、
を含むことを特徴とするＬＥＤランプユニット。
【請求項２３】
前記吸収層は、ブラックシートで構成されることを特徴とする請求項２２に記載のＬＥＤランプユニット。
【請求項２４】
前記散乱層は、表面を粗くするか、或いは不規則な粒子物質を表面に塗布して形成されることを特徴とする請求項２２に記載のＬＥＤランプユニット。
【発明の詳細な説明】
【技術分野】
【０００１】
本発明は、液晶表示装置のバックライトに関し、特に薄型化及び光均一度を向上させることができ、駆動のための電源連結線を単純化させることのできるＬＥＤランプユニットに関する。
【背景技術】
【０００２】
一般的に使用されている表示装置の一つであるＣＲＴは、ＴＶをはじめ、計測機器、情報端末機器などのモニタに主に用いられているが、ＣＲＴ自体の重さと大きさによって電子製品の小型化、軽量化の要求に積極的に対応できなかった。
【０００３】
このため、各種の電子製品が小型化、軽量化されている中、ＣＲＴは、重さや大きさなどにおいて一定の限界を有しており、これを代替するものとして、電界光学的な効果を用いた液晶表示装置(ＬＣＤ)、ガス放電を用いたプラズマ表示素子(ＰＤＰ)、及び電界発光効果を用いたＥＬ表示素子(ＥＬＤ)などが挙げられ、その中でも液晶表示装置に対する研究が活発に行われている。
【０００４】
かかる液晶表示装置は、最近、平板表示装置としての役割を充分に果たせるほどに開発が進み、ラップトップ型コンピュータのモニタばかりでなく、デスクトップ型コンピュータのモニタ及び大型情報表示装置などに使用されており、液晶表示装置の需要は増加し続けているのが実情である。
【０００５】
一方、液晶表示装置の大部分は、外部から入る光源の量を調節して、画像を表示する受光性素子であるため、液晶パネルに光を照射するための別途の光源、すなわちバックライトユニットが必要不可欠である。
【０００６】
近来のバックライトユニットは、暗い場所で液晶表示装置の画面に表示される情報を読み取るための機能として使用されてきたが、最近は、デザイン、低電力化、薄型化などの多様な要求によって導光板をより薄く形成しており、様々なカラーを表現できる機能ばかりでなく、ＬＥＤを使用して標示品質を向上させるための技術開発などが行われている。
【０００７】
一般的に、ＬＥＤは、半導体の光電変換効果を用いた固体素子で、順方向電圧を加えると光を発する半導体素子として、タングステンフィラメントを用いたランプに比べて低い電圧で発光し、フィラメントが加熱され発光するわけではなく、電子が正孔と再結合する時に発生するエネルギーの差で発光するものであるため、以前から各種の表示装置に広く使用されてきた。
【０００８】
そして、ＬＥＤを発光させるためには、数Ｖ程度の直流電圧を印加すれば済むので、ＤＣ−ＡＣ変換機が必要なく、駆動装置が単純である。
【０００９】
また、ＬＥＤは半導体装置であるため、陰極線管よりも信頼性が高く、小型で寿命が長いという特徴がある。
【００１０】
以下、上述したようにそれ自体が発光素子に用いられ、各種の表示装置の光源に用いられる一般的なＬＥＤランプについて説明する。
【００１１】
図１Ａ及び図１Ｂは、一般的なＬＥＤランプを示す写真及び構造断面図で、図２は、図１Ａ、図１ＢによるＬＥＤランプの出射光の進行経路を示す図面で、図３Ａ及び図３Ｂは一般的なＬＥＤランプの角度別の光出射分布の特性を示す直交及び極座標系である。
【００１２】
一般的なＬＥＤランプは、図１Ａ及び図１Ｂに示したように、ＬＥＤチップ１０と、ＬＥＤチップ１０を包むように砲弾形で構成された光学レンズ１３と、ＬＥＤチップ１０の両端にそれぞれ連結されたカソードおよびアノードリード線１４、１５と、ＬＥＤチップ１０の側面を包む反射カーブ１１とで構成されている。未説明符号１２は、ＬＥＤチップ１０と、カソードリード線１４、及びアノードリード線１５をそれぞれ連結するワイヤーを示す。
【００１３】
上記の構成を有する一般的なＬＥＤランプは、ＬＥＤチップ１０から発光する光が砲弾形の光学レンズ１３に集束され、図２に示したように大部分の光が垂直方向に発光する。
【００１４】
図３Ａ及び図３Ｂは、ＬＥＤランプの角度別の光出射程度を示すもので、ＬＥＤチップ１０から発光する光が大部分垂直方向に進むことが分かる。
【００１５】
このようにＬＥＤランプから出射した光が集束され、一方向（垂直方向）に進行すると、全面積にわたって均一な光分布が必要なバックライトユニットに適用し難く、バックライトユニットに適用するためには、数多くのＬＥＤランプが必要であり、ＬＥＤランプから発光される光を拡散させるための追加的な光学構成品が必要となる。
【００１６】
以下、上記のように光が垂直方向に集束するＬＥＤランプを改善するための従来のＬＥＤランプについて説明する。
【００１７】
図４は、従来技術によるＬＥＤランプユニットを示す図面で、図５は、図４のＬＥＤランプの光学レンズの形状を示す斜視図で、図６は、図４のＬＥＤランプの角度別の光出射分布を示す特性図である。
【００１８】
従来のＬＥＤランプ４０は、図４及び図５に示したように、光学レンズ５０の形状が砲弾形ではなく臼形を成しており、ＬＥＤチップ（図示せず）は臼形の光学レンズ５０の内側に配置されている。
【００１９】
上記のように光学レンズ５０の形状が臼形であるため、図６に示したように、ＬＥＤチップから出射される光が光学レンズ５０を介して大部分側面へ進む。したがって、バックライトユニットに適用する場合、一般的なＬＥＤランプより少ない数で良好な明るさの分布を有することができる。
【発明の開示】
【発明が解決しようとする課題】
【００２０】
しかしながら、上記の構成を有する従来のＬＥＤランプには、次のような問題点がある。
【００２１】
第一に、大部分側面に光を発光させることはできるものの、光学レンズが臼形に形成されているため、厚さが増して、薄型化が難しい。
第二に、光学レンズの上面の周縁部が薄いため、外部の衝撃によって破損しやすいおそれがある。また、破損の程度が激しい場合、ＬＥＤ出射光の特性が変化するという問題がある。
【００２２】
本発明は上記の問題点を解決するために案出されたもので、その目的は、従来の側面出射ＬＥＤランプより厚さを薄くして薄型化させるのに適したＬＥＤランプユニットを提供することにある。
【００２３】
また、本発明のもう一つ他の目的は、ＬＥＤランプを駆動するための電源線の連結を単純化させることのできるＬＥＤランプユニットを提供することにある。
【課題を解決するための手段】
【００２４】
上記目的を達成するための本発明に係るＬＥＤランプユニットは、中心部分が内部に陥没した凹部を有し、周縁のフレームが直線面、または凸レンズの形態を有する光学レンズと、この光学レンズの下部に一定の間隔で少なくとも一つ以上配置されているＬＥＤチップと、このＬＥＤチップの下部面に配置された下部反射板とを含んで構成されることを特徴とする。
【００２５】
ここで、凹部は‘Ｖ’字形状で形成されることを特徴とする。
【００２６】
光学レンズの凹部の表面は、平面か、又は曲面の何れかを有するように構成されることを特徴とする。
【００２７】
光学レンズの上部面に形成された上部反射板をさらに含むことを特徴とする。
【００２８】
上部反射板は、反射シートの取付け、反射物質のコーティング、及び機能性シートを用いることのうち何れかによって表面処理がなされていることを特徴とする。
【００２９】
光学レンズの上部面に、吸収層か、又は散乱層の何れかをさらに含むことを特徴とする。
【００３０】
吸収層は、ブラックシートで構成されることを特徴とする。
【００３１】
散乱層は、表面を粗くするか、或いは不規則な粒子物質を表面に塗布して形成されることを特徴とする。
【００３２】
少なくとも一つ以上のＬＥＤチップは、両端がリード線によってアノード電極端とカソード電極端とにそれぞれ連結されており、各アノード電極端及びカソード電極端は、それぞれ分離されていることを特徴とする。
【００３３】
少なくとも一つ以上のＬＥＤチップは、両端がリード線によってアノード電極端とカソード電極端とにそれぞれ連結されており、各アノード電極端は分離され、個別に各ＬＥＤチップの一端に連結されており、各カソード電極端は、第１電極連結ワイヤーを介して互いに共通に連結されていることを特徴とする。
【００３４】
少なくとも一つ以上のＬＥＤチップは、両端がリード線によってアノード電極端とカソード電極端とにそれぞれ連結されており、各アノード電極端は、第２電極連結ワイヤーを介して互いに共通に連結されており、各カソード電極端は分離され、各ＬＥＤチップの他端に連結されていることを特徴とする。
【００３５】
少なくとも一つ以上のＬＥＤチップは、両端がリード線によってアノード電極端とカソード電極端とにそれぞれ連結されており、各カソード電極端と各アノード電極端は、それぞれ第１電極連結ワイヤーと第２電極連結ワイヤーを介して共通に連結されていることを特徴とする。
【００３６】
少なくとも一つ以上のＬＥＤチップは、単色光、Ｒ，Ｇ，Ｂの三色光、及び白色光のうちの何れかを発光させることを特徴とする。
【００３７】
また、上記目的を達成するための本発明のＬＥＤランプユニットは、周縁のフレームが直線面か又は凸レンズ形態の何れかを有する光学レンズと、光学レンズの下部に一定の間隔で配置される複数のＬＥＤチップと、光学レンズ及び複数のＬＥＤチップの下部面に配置された下部反射板と、光学レンズの上部面に配置された上部反射板とを含んで構成されることに特徴がある。
【００３８】
上部反射板が位置する光学レンズの上部面は、平面で構成されることを特徴とする。
【００３９】
また、上記目的を達成するための本発明のＬＥＤランプユニットは、周縁のフレームが直線面か又は凸レンズの形態の何れかを有する光学レンズと、この光学レンズの下部に一定の間隔で配置される複数のＬＥＤチップと、光学レンズ及び複数のＬＥＤチップの下部面に配置された下部反射板と、光学レンズの上部面に配置された吸収層か又は散乱層の何れかとを含んで構成されることにもう一つ他の特徴がある。
【発明の効果】
【００４０】
本発明のＬＥＤランプユニットは次のような効果がある。
【００４１】
第一に、光学レンズの周縁のフレームが凸レンズ形状又は直線面を成しているので、ＬＥＤチップから発生した大部分の光を側面方向に出射させて、光均一度を向上させることができる。
第二に、光学レンズの周縁が凸レンズ形状又は直線面を成しており、光学レンズ内部の下部面にＬＥＤチップが備えられているので、従来の側面出射ＬＥＤランプより厚さを減少させることができ、薄型化に有利である。
第三に、ＬＥＤチップから発生した大部分の光を側面方向に出射させることができるので、液晶表示装置(ＬＣＤ)に光を供給するバックライト装置に適用する場合、光均一度を高めて表示品質を向上させることができる。
第四に、ＬＥＤチップの両端に電源を印加させるための結線を単純化させることができる。
【発明を実施するための最良の形態】
【００４２】
以下、本発明に係るＬＥＤランプユニットを添付の図面に基づいて詳細に説明する。
【００４３】
＜第１実施例＞
本発明の第１実施例によるＬＥＤランプユニットについて説明する。
図７及び図８は、本発明の第１実施例によるＬＥＤランプユニットを示した斜視図で、図９Ａは、図８のＩ−Ｉ’線上で切った構造断面図で、図９Ｂは、図８のＬＥＤランプユニットの上部平面図である。
【００４４】
図７及び図８に示したように、本発明の第１実施例によるＬＥＤランプユニット７０は、光学レンズ８１とＬＥＤチップ８２と下部反射板８３とで構成されている。この際、光学レンズ８１は、中心部分が内部に陥没した凹部を有し、周縁のフレームは凸レンズの形態をなすように曲面を有し、凹部の表面は平面を有するように構成されている。勿論、光学レンズ８１の周縁のフレームは直線面を有することができ、また、凹部の表面は曲面を有するように形成することもでき、凹部は‘Ｖ’字形状に形成される。
【００４５】
そして、ＬＥＤチップ８２は、ＬＥＤランプユニット７０の光学レンズ８１の下部に一定かつ所定の間隔で１つ以上配置されており、ＬＥＤチップ８２は、単色光、Ｒ，Ｇ，Ｂの三色光、及び白色光のうちの何れかを発光させるように構成されている。
【００４６】
そして、ＬＥＤチップ８２から発生する光の利用効率を高めるために、光学レンズ８１の下部面には下部反射板８３を配置した。
【００４７】
図８では、３つのＬＥＤチップを備えたＬＥＤランプユニットについて図示したが、これに限定されず、光学レンズ８１の下面に３つ以上の複数のＬＥＤチップ８２を具備することができる。
【００４８】
上記のように構成されたＬＥＤランプユニットは、一つ以上の発光ＬＥＤチップ８２を光学レンズ８１の下部の内面に配置することで薄型化になっており、光学レンズ８１のフレームに沿って周縁が凸レンズ形状、又は直線面となるように構成することで、ＬＥＤチップ８２から発生した大部分の光を正面方向より側面方向に出射させることができる。
【００４９】
また、上記構成を有するＬＥＤランプユニットは、それ自体が発光素子として用いられることができるばかりでなく、非発光素子の液晶表示装置(ＬＣＤ)に光を供給するバックライト装置の光源として用いられることもできる。
【００５０】
＜第２実施例＞
本発明の第２実施例によるＬＥＤランプユニットについて説明する。
図１０及び図１１は、本発明の第２実施例によるＬＥＤランプユニットを示す斜視図である。
本発明の第２実施例によるＬＥＤランプユニットは、ＬＥＤチップから発生した光の正面出射より側面出射成分が最大となるようにするためのものである。
【００５１】
図１０及び図１１に示したように、本発明の第２実施例によるＬＥＤランプユニット１００は、光学レンズ１０２、複数のＬＥＤチップ１０３、下部反射板１０４、及び上部反射板１０１とで構成されている。
【００５２】
光学レンズ１０２は、中心部分が内部に陥没した凹部を有し、周縁のフレームは、凸レンズの形態をなすように曲面を有し、凹部の表面は平面を有するように構成されている。勿論、光学レンズ１０２の周縁のフレームが直線面を有し、凹部の表面が曲面を成すように形成することもできる。この時凹部は‘Ｖ’字状に形成される。
【００５３】
ＬＥＤチップ１０３は、ＬＥＤランプユニット１００の光学レンズ１０２の下部に一定かつ所定の間隔で１つ以上配置されており、単色光、Ｒ，Ｇ，Ｂの３色光、及び白色光のうちの何れかを発光させるように構成される。
そして、ＬＥＤチップ１０３から発生する光の利用効率を高めるために、光学レンズ１０２の下面には下部反射板１０４が構成されている。
【００５４】
また、ＬＥＤチップ１０３から発生する光の正面出射成分を最小化させ、側面出射成分を最大化させるために、即ち、正面から出射するＬＥＤチップ１０３の光を下部に反射させ、側面に出射できるようにするために、光学レンズ１０２の上部全面に上部反射板１０１が構成されている。
【００５５】
この上部反射板１０１は、反射シートの取付けや、反射物質コーティングや、機能性シートを用いた表面処理など、多様な方法で構成することができる。
【００５６】
また、上記で上部反射板１０１の代わりに吸収層や散乱層を配置させ、正面に出射する光を制止させることもできる。この際、吸収層はブラックシートを取り付けて形成することができ、散乱層は表面を粗くするか、或いは不規則な粒子物質を表面に塗布して構成させることができる。
【００５７】
本発明の第２実施例によるＬＥＤランプユニットは、ＬＥＤチップから発生した光の正面出射より側面の出射成分が最大となるようにするためのものである。
【００５８】
また、図１０及び図１１に示したような本発明の第２実施例において、光学レンズ１０２の中心部分は上部反射板１０１によって覆われているため、外観上は凹部を有せず、中心部は平面を有し、かつ周縁のフレームは凸レンズの形態を有するように曲面を有している。光学レンズ１０２の下部には一定かつ所定の間隔で少なくとも一つ以上のＬＥＤチップ１０３を配置し、このＬＥＤチップ１０３から発生される光の利用効率を高めるために、光学レンズ１０２の下面には下部反射板１０４が構成されている。光学レンズ１０２の上部面には、上部反射板１０１の代替として、吸収層又は散乱層を構成しても構わない。
【００５９】
勿論、上部反射板１０１は、光学レンズ１０２の中央部分(平面)に位置するようにする。そして、図面には示していないが、光学レンズ１０２の全面に上部反射板１０１を備えた本発明の第２実施例によるＬＥＤランプユニットも、図１４Ａ及び図１４Ｂに示すように、複数のＬＥＤチップが具備されるように構成することができる。
【００６０】
また、上記構成を有するＬＥＤランプユニットもそれ自体を発光素子として使用できるだけでなく、非発光素子の液晶表示装置(ＬＣＤ)に光を供給するバックライト装置のランプユニットとして使用することができる。
【００６１】
次に、添付の図面を参照して、本発明の第１、第２実施例による構成を有するＬＥＤランプユニットの光出射特性について説明する。
【００６２】
図１２は、本発明の第１、第２実施例によるＬＥＤランプユニットの出射光進行経路を示す図面で、図１３Ａ及び図１３Ｂは、本発明によるＬＥＤランプユニットの角度別の光出射分布の特性を示す直交及び極座標系である。
【００６３】
上述した本発明の第１、第２実施例によるＬＥＤランプユニットは、図１２に示したように、ＬＥＤチップ８２、１０３から発生した光の大部分が正面より側面方向に出射されることが分かる。
【００６４】
また、図１３Ａ及び図１３Ｂに直交座標系と極座標系で示したように、ＬＥＤチップ８２、１０３から発生した光は、垂直方向に出射されることは殆どなく、大部分水平方向、つまり側面方向に光が出射されることが分かる。
【００６５】
上記のような本発明によるＬＥＤランプユニットは、従来のＬＥＤランプに比べて、正面出射光の成分は減少し、かつ側面出射光の成分は増加しているので、バックライトの光源に使用する時、光均一度を向上させることができる。即ち、本発明に係るＬＥＤランプユニットは、従来技術より液晶表示装置のバックライトユニットに適用するのに適した光源構造である。
【００６６】
図１４Ａ及び図１４Ｂは、本発明による少なくとも３つ以上のＬＥＤチップを備えたＬＥＤランプユニットの斜視図及び上部平面図である。
上記本発明の第１、第２実施例では、３つのＬＥＤチップが形成されることを図示したが、これに限定されず、光学レンズ１４０及び下部反射板１４２は、本発明の第１、第２実施例で説明したとおりに構成され、図１４Ａおよび図１４ＢのようにＬＥＤチップ１４１を少なくとも３つ以上具備することができる。尚、第２実施例と同様にして光学レンズ１４０の上部前面に上部反射板を構成することとしてもよい。
【００６７】
次に、添付の図面を参照にして本発明に係るＬＥＤランプユニットの駆動のための電気結線例について説明する。
【００６８】
図１５〜図１８は、本発明によるＬＥＤランプユニットの電気的な結線を示す多様な例示図である。
本発明によるＬＥＤランプユニットは、駆動のために各ＬＥＤチップに電源を印加させなければならず、その電源連結関係について説明すると次の通りである。
【００６９】
図１５〜図１８に示したように、複数のＬＥＤチップ１５０は、各々の両端がリード線によってアノード電極端１５１とカソード電極端１５２とに連結されている。
上記のようにして各ＬＥＤチップ１５０に連結されたアノード電極端１５１及びカソード電極端１５２は、後述するように多様な連結関係を有することができる。
【００７０】
まず、図１５は、複数のＬＥＤチップ１５０の各アノード電極端１５１及びカソード電極端１５２がそれぞれ分離され、電源を各ＬＥＤチップ１５０へ個別に伝達するように連結された例である。
【００７１】
図１６は、複数のＬＥＤチップ１５０の各アノード電極端１５１は分離され、各ＬＥＤチップ１５０の一端に個別に電源を印加するように構成されており、複数のＬＥＤチップ１５０のカソード電極端１５２は、第１電極連結ワイヤー１５３を介して互いに共通に連結されている例である。
【００７２】
図１７は、複数のＬＥＤチップ１５０の各アノード電極端１５１は第２電極連結ワイヤー１５４を介して互いに共通に連結されており、複数のＬＥＤチップ１５０の各カソード電極端１５２は分離され、各ＬＥＤチップ１５０の他端に個別に電源を印加するように連結された例である。
【００７３】
図１８は、複数のＬＥＤチップ１５０の各カソード電極端１５２と各アノード電極端１５１が、それぞれ第１電極連結ワイヤー１５３と第２電極連結ワイヤー１５４を介して共通に連結されている例である。
【００７４】
未説明符号１５１ａと１５２ａは、それぞれ各アノード電極端１５１に共通に電圧を印加させるための第１共通電極印加端と、各カソード電極端１５２に共通に電圧を印加させるための第２共通電極印加端である。
カソード電極端１５２は、それぞれ或いは共通に接地されている。
【００７５】
上記のように、各ＬＥＤチップの両端に電源リード線及び電極連結ワイヤーを用いて簡単に電源を印加させることができるので、その結線を単純化させることができる。
【００７６】
以上で説明した内容を通じて当業者であれば本発明の技術思想を離脱しない範囲内で多様な変更及び修正が可能なことが分かる。
したがって、本発明の技術範囲は上記実施例に記載された内容に限定されるものではなく、特許請求の範囲によって定められなければならない。
【図面の簡単な説明】
【００７７】
【図１Ａ】一般的なＬＥＤランプを示した写真及び構造断面図である。
【図１Ｂ】一般的なＬＥＤランプを示した写真及び構造断面図である。
【図２】図１Ａ、図１ＢによるＬＥＤランプの出射光の進行経路を示す図面である。
【図３Ａ】一般的なＬＥＤランプの角度別の光出射分布の特性を示す直交及び極座標系である。
【図３Ｂ】一般的なＬＥＤランプの角度別の光出射分布の特性を示す直交及び極座標系である。
【図４】従来技術によるＬＥＤランプユニットを示す図面である。
【図５】図４のＬＥＤランプの光学レンズの形状を示す斜視図である。
【図６】図４のＬＥＤランプの角度別の光出射分布を示す特性図である。
【図７】本発明の第１実施例によるＬＥＤランプユニットを示す斜視図である。
【図８】本発明の第１実施例によるＬＥＤランプユニットを示す斜視図である。
【図９Ａ】図８のＩ−Ｉ’線上で切った構造断面図である。
【図９Ｂ】図８のＬＥＤランプユニットの上部平面図である。
【図１０】本発明の第２実施例によるＬＥＤランプユニットを示す斜視図である。
【図１１】本発明の第２実施例によるＬＥＤランプユニットを示す斜視図である
【図１２】本発明の第１、第２実施例によるＬＥＤランプの出射光の進行経路を示す図面である。
【図１３Ａ】本発明によるＬＥＤランプの角度別の光出射分布の特性を示す直交及び極座標系である。
【図１３Ｂ】本発明によるＬＥＤランプの角度別の光出射分布の特性を示す直交及び極座標系である。
【図１４Ａ】本発明による少なくとも３つ以上のＬＥＤチップを備えたＬＥＤランプユニットの斜視図及び上部平面図である。
【図１４Ｂ】本発明による少なくとも３つ以上のＬＥＤチップを備えたＬＥＤランプユニットの斜視図及び上部平面図である。
【図１５】本発明によるＬＥＤランプユニットの電気的な結線を示す多様な例示図である。
【図１６】本発明によるＬＥＤランプユニットの電気的な結線を示す多様な例示図である。
【図１７】本発明によるＬＥＤランプユニットの電気的な結線を示す多様な例示図である。
【図１８】本発明によるＬＥＤランプユニットの電気的な結線を示す多様な例示図である。
【符号の説明】
【００７８】
７０、１００  ＬＥＤランプユニット
８１、１０２、１４０  光学レンズ
８２、１０３、１４１、１５０  ＬＥＤチップ
８３、１０４、１４２  下部反射板
１０１  上部反射板
１５１  アノード電極端
１５１ａ  第１共通電極印加端
１５２  カソード電極端
１５２ａ  第２共通電極印加端
１５３  第１電極連結ワイヤー
１５４  第２電極連結ワイヤー
【図１Ａ】
2005317977.tif 000003
【図１Ｂ】
2005317977.tif 000004
【図２】
2005317977.tif 000005
【図３Ａ】
2005317977.tif 000006
【図３Ｂ】
2005317977.tif 000007
【図４】
2005317977.tif 000008
【図５】
2005317977.tif 000009
【図６】
2005317977.tif 000010
【図７】
2005317977.tif 000011
【図８】
2005317977.tif 000012
【図９Ａ】
2005317977.tif 000013
【図９Ｂ】
2005317977.tif 000014
【図１０】
2005317977.tif 000015
【図１１】
2005317977.tif 000016
【図１２】
2005317977.tif 000017
【図１３Ａ】
2005317977.tif 000018
【図１３Ｂ】
2005317977.tif 000019
【図１４Ａ】
2005317977.tif 000020
【図１４Ｂ】
2005317977.tif 000021
【図１５】
2005317977.tif 000022
【図１６】
2005317977.tif 000023
【図１７】
2005317977.tif 000024
【図１８】
2005317977.tif 000025